(57)【要約】【課題】インク消費量を精度よく推定できる情報入力装置およびプログラムを提供する。【解決手段】情報入力装置のＣＰＵは、筆記具の位置を一定周期で取得する（Ｓ１３）。ＣＰＵは、Ｓ１３の処理で取得された筆記具の位置である第一位置と、第一位置が取得されてから所定時間の経過後に、Ｓ１３の処理で取得された筆記具の位置である第二位置とに基づき、筆記具によって第一位置から第二位置まで線画が筆記された距離である筆記距離を算出する（Ｓ１４）。Ｓ１４の処理で算出された筆記距離と、筆記具によって所定時間で所定距離の線画が筆記されたときに消費されるインクの量として予め定められた基準消費量とに基づき、第一位置から第二位置まで線画を筆記するのに消費されたインクの量であるインク消費量を算出する（Ｓ１５）。【選択図】図６
2016207067.tif 000002
【特許請求の範囲】
【請求項１】
インクによって記録媒体に線画を筆記可能な筆記具の位置を検出可能な検出手段と、
前記検出手段によって検出された前記筆記具の位置を取得する第一取得手段と、
前記第一取得手段によって取得された前記筆記具の位置である第一位置と、前記第一位置が取得されてから所定時間の経過後に前記第一取得手段によって取得された前記筆記具の位置である第二位置とに基づき、前記筆記具によって前記第一位置から前記第二位置まで線画が筆記された距離である筆記距離を算出する第一算出手段と、
前記第一算出手段によって算出された前記筆記距離と、前記筆記具によって前記所定時間で所定距離の線画が筆記されたときに消費される前記インクの量として予め定められた基準消費量とに基づき、前記第一位置から前記第二位置まで線画を筆記するのに消費された前記インクの量であるインク消費量を算出する第二算出手段と
を備えたことを特徴とする情報入力装置。
【請求項２】
前記筆記具を特定可能な個別情報を取得する第二取得手段を備え、
前記第二算出手段は、前記第二取得手段によって取得された前記個別情報に対応させて前記インク消費量を算出することを特徴とする請求項１に記載の情報入力装置。
【請求項３】
前記第二算出手段によって算出された前記インク消費量に基づき、前記筆記具に現在搭載されている前記インクの量であるインク残量に関する報知を行う報知手段を備えたことを特徴とする請求項１または２に記載の情報入力装置。
【請求項４】
前記第二算出手段によって算出された前記インク消費量に基づき、所定条件を満たしているか判断する判断手段を備え、
前記報知手段は、前記判断手段によって前記所定条件を満たしていると判断された場合に、前記インク残量に関する報知を行うことを特徴とする請求項３に記載の情報入力装置。
【請求項５】
発光可能な発光部を備え、
前記報知手段は、前記発光部を発光させることによって、前記インク残量に関する報知を行うことを特徴とする請求項３または４に記載の情報入力装置。
【請求項６】
外部の電子機器と通信可能な通信手段を備え、
前記報知手段は、前記通信手段を介して前記外部の電子機器に対して、前記インク残量に関する報知を実行させる指示を送信することを特徴とする請求項３から５のいずれかに記載の情報入力装置。
【請求項７】
前記指示は、前記外部の電子機器に所定画像を表示させる指示であることを特徴とする請求項６に記載の情報入力装置。
【請求項８】
前記第一取得手段によって取得された前記筆記具の位置に基づき、前記筆記具によって前記記録媒体に筆記された前記線画に対応するデータであり、かつ、第一色で表示される線画データを生成する生成手段と、
前記生成手段によって生成された前記線画データを、前記通信手段を介して前記外部の電子機器に送信する送信手段と
を備え、
前記指示は、前記送信手段によって送信された前記線画データを、前記第一色に代えて前記第一色とは異なる第二色で表示させる指示であることを特徴とする請求項６または７に記載の情報入力装置。
【請求項９】
インクによって記録媒体に線画を筆記可能な筆記具の位置を検出可能な検出手段を備えた情報入力装置のコンピュータに、
前記検出手段によって検出された前記筆記具の位置を取得する第一取得ステップと、
前記第一取得ステップによって取得された前記筆記具の位置である第一位置と、前記第一位置が取得されてから所定時間の経過後に前記第一取得ステップによって取得された前記筆記具の位置である第二位置とに基づき、前記筆記具によって前記第一位置から前記第二位置まで線画が筆記された距離である筆記距離を算出する第一算出ステップと、
前記第一算出ステップによって算出された前記筆記距離と、前記筆記具によって前記所定時間で所定距離の線画が筆記されたときに消費される前記インクの量として予め定められた基準消費量とに基づき、前記第一位置から前記第二位置まで線画を筆記するのに消費された前記インクの量であるインク消費量を算出する第二算出ステップと
を実行させるプログラム。
【発明の詳細な説明】
【技術分野】
【０００１】
本発明は、筆記具の移動軌跡を電子化することによって、ユーザが筆記した情報を取得可能な情報入力装置およびプログラムに関する。
【背景技術】
【０００２】
ノート等の記録媒体に専用の筆記具で筆記したときの筆記具の移動軌跡を電子化することによって、筆記された文字や図形等の情報を取得可能な情報入力装置が知られている。例えば、特許文献１に記載の座標読取装置は、専用の筆記具としてペンで筆記したときのペンの移動軌跡を電子化できる。さらに、座標読取装置は、ペンのインク消費量に基づきインク残量を推定可能である。ペンは、記録媒体に筆記している場合にＯＮされるスイッチを備える。座標読取装置は、スイッチがＯＮされている時間（すなわち、筆記されている時間）をカウントすることによりインク消費量を算出する。カウントした値が基準値に達した場合、ユーザにインク残量低下を報知する。
【先行技術文献】
【特許文献】
【０００３】
【特許文献１】特開２００１−５６７３４号公報
【発明の概要】
【発明が解決しようとする課題】
【０００４】
ところで、ユーザが記録媒体に筆記具で筆記する場合、素早く筆記したり、ゆっくり筆記したりする場合がある。例えば、ユーザが水性インクのペンで記録媒体に素早く筆記した場合、インクは記録媒体に対してあまり滲み込まない。一方、ユーザが水性インクのペンで記録媒体にゆっくり筆記した場合、インクは記録媒体に対してより滲み出る。すなわち、筆記時間が同じであっても、筆記距離が異なることによりインク消費量が異なる場合がある。この場合、上記座標読取装置は、筆記されている時間をカウントすることによりインク消費量を推定するため、インク消費量を精度よく推定できない可能性があった。
【０００５】
本発明の目的は、インク消費量を精度よく推定できる情報入力装置およびプログラムを提供することである。
【課題を解決するための手段】
【０００６】
本発明の第一態様に係る情報入力装置は、インクによって記録媒体に線画を筆記可能な筆記具の位置を検出可能な検出手段と、前記検出手段によって検出された前記筆記具の位置を取得する第一取得手段と、前記第一取得手段によって取得された前記筆記具の位置である第一位置と、前記第一位置が取得されてから所定時間の経過後に前記第一取得手段によって取得された前記筆記具の位置である第二位置とに基づき、前記筆記具によって前記第一位置から前記第二位置まで線画が筆記された距離である筆記距離を算出する第一算出手段と、前記第一算出手段によって算出された前記筆記距離と、前記筆記具によって前記所定時間で所定距離の線画が筆記されたときに消費される前記インクの量として予め定められた基準消費量とに基づき、前記第一位置から前記第二位置まで線画を筆記するのに消費された前記インクの量であるインク消費量を算出する第二算出手段とを備える。
【０００７】
第一態様によれば、情報入力装置は、第一位置を取得してから所定時間の経過後に第二位置を取得する。基準消費量は、筆記具によって所定時間で所定距離の線画が筆記されたときに消費されるインクの量として予め定められた基準量である。情報入力装置は、所定時間における筆記距離および基準消費量に基づき、第一位置から第二位置まで線画を筆記した筆記具のインク消費量を算出する。ゆえに、情報入力装置は、インク消費量を精度よく推定できる。
【０００８】
本発明の第一態様に係る情報入力装置は、前記筆記具を特定可能な個別情報を取得する第二取得手段を備え、前記第二算出手段は、前記第二取得手段によって取得された前記個別情報に対応させて前記インク消費量を算出してもよい。この場合、情報入力装置は、筆記具毎にインク消費量を推定できる。
【０００９】
本発明の第一態様に係る情報入力装置は、前記第二算出手段によって算出された前記インク消費量に基づき、前記筆記具に現在搭載されている前記インクの量であるインク残量に関する報知を行う報知手段を備えてもよい。この場合、情報入力装置は、筆記具のインク残量をユーザに報知できる。
【００１０】
本発明の第一態様に係る情報入力装置は、前記第二算出手段によって算出された前記インク消費量に基づき、所定条件を満たしているか判断する判断手段を備え、前記報知手段は、前記判断手段によって前記所定条件を満たしていると判断された場合に、前記インク残量に関する報知を行ってもよい。この場合、情報入力装置は、筆記具のインク消費量に基づき、所定条件を満たしていることをユーザに報知できる。
【００１１】
本発明の第一態様に係る情報入力装置は、発光可能な発光部を備え、前記報知手段は、前記発光部を発光させることによって、前記インク残量に関する報知を行ってもよい。この場合、情報入力装置は、発光部を発光させることによりインク残量をユーザに報知できる。
【００１２】
本発明の第一態様に係る情報入力装置は、外部の電子機器と通信可能な通信手段を備え、前記報知手段は、前記通信手段を介して前記外部の電子機器に対して、前記インク残量に関する報知を実行させる指示を送信してもよい。この場合、情報入力装置は、インク残量を外部の電子機器にてユーザに報知できる。
【００１３】
本発明の第一態様に係る情報入力装置において、前記指示は、前記外部の電子機器に所定画像を表示させる指示であってもよい。この場合、情報入力装置は、外部の電子機器に警告を表示させることでインク残量をユーザに報知できる。
【００１４】
本発明の第一態様に係る情報入力装置は、前記第一取得手段によって取得された前記筆記具の位置に基づき、前記筆記具によって前記記録媒体に筆記された前記線画に対応するデータであり、かつ、第一色で表示される線画データを生成する生成手段と、前記生成手段によって生成された前記線画データを、前記通信手段を介して前記外部の電子機器に送信する送信手段とを備え、前記指示は、前記送信手段によって送信された前記線画データを、前記第一色に代えて前記第一色とは異なる第二色で表示させる指示であってもよい。この場合、情報入力装置は、外部の電子機器に線画データの色を第一色から第二色に代えて表示させることでインク残量をユーザに報知できる。
【００１５】
本発明の第二態様に係るプログラムは、インクによって記録媒体に線画を筆記可能な筆記具の位置を検出可能な検出手段を備えた情報入力装置のコンピュータに、前記検出手段によって検出された前記筆記具の位置を取得する第一取得ステップと、前記第一取得ステップによって取得された前記筆記具の位置である第一位置と、前記第一位置が取得されてから所定時間の経過後に前記第一取得ステップによって取得された前記筆記具の位置である第二位置とに基づき、前記筆記具によって前記第一位置から前記第二位置まで線画が筆記された距離である筆記距離を算出する第一算出ステップと、前記第一算出ステップによって算出された前記筆記距離と、前記筆記具によって前記所定時間で所定距離の線画が筆記されたときに消費される前記インクの量として予め定められた基準消費量とに基づき、前記第一位置から前記第二位置まで線画を筆記するのに消費された前記インクの量であるインク消費量を算出する第二算出ステップとを実行させる。上記第二態様に係るプログラムが情報入力装置のコンピュータによって実行されることによって、第一態様と同様の効果を奏することができる。
【図面の簡単な説明】
【００１６】
【図１】手書入力システム１の概要を示す図である。
【図２】手書入力システム１の電気的構成を示すブロック図である。
【図３】用紙１１１の正面図である。
【図４】第一色で表示された画像３００の一例を示す図である。
【図５】インク消費量を説明するための図である。
【図６】メイン処理のフローチャートである。
【図７】所定画像３０１の一例を示す図である。
【図８】第二色で表示された画像３００の一例を示す図である
【発明を実施するための形態】
【００１７】
以下、本発明の実施形態について、図面を参照して説明する。図１を参照して、本実施形態に係る手書入力システム１の概要を説明する。以下の説明では、図１の左上側、右下側、上側、下側、右上側、左下側を、それぞれ、読取装置２、紙媒体１００、および電子ペン３の左側、右側、前側、後側、上側、下側と定義して説明する。なお、図１の電子ペン３は、説明のため断面図を示している。
【００１８】
図１に示すように、手書入力システム１は、読取装置２、電子ペン３、スマートフォン１９等を主に備える。読取装置２は、折り畳んで携行可能な、薄型軽量の手書き入力装置である。手書入力システム１では、ユーザは電子ペン３を用いて、読取装置２に装着された紙媒体１００の用紙１１１に線画を筆記する。線画は、文字、数値、記号、図形等を含む。読取装置２は、筆記の過程で経時的に変化する電子ペン３の複数の位置を特定する。スマートフォン１９は、読取装置２で特定された複数の位置を取得する。スマートフォン１９は、取得した複数の位置に基づき、電子ペン３によって用紙１１１に筆記された線画を特定する。スマートフォン１９は、特定された線画を少なくとも含む画像の画像ファイルを生成する。スマートフォン１９のユーザは、生成された複数の画像ファイルのうちいずれかを選択する操作を、タッチパネル１９１を介して入力する。スマートフォン１９は、選択された画像ファイルに対応する画像を、ディスプレイ１９２に表示させる。ユーザは、電子ペン３によって用紙１１１に筆記された線画と同一形状の線画を含む画像を、ディスプレイ１９２を介して視認できる。
【００１９】
読取装置２は、左右一対の左読取装置２Ｌ，右読取装置２Ｒ，およびカバー４を構成の主体とする。左読取装置２Ｌおよび右読取装置２Ｒは、矩形薄板状である。左読取装置２Ｌおよび右読取装置２Ｒは、カバー４の前面に左右方向に見開き可能に配置されている。左読取装置２Ｌおよび右読取装置２Ｒは、フラットケーブル（図示略）によって電気的に接続されている。右読取装置２Ｒは、３つのＬＥＤ５を上端に備える。ＬＥＤ５は、発光することにより読取装置２および電子ペン３の状態をユーザに通知可能である。カバー４は、袋状の袋部４Ａを左側に備える。左読取装置２Ｌは、袋部４Ａ内に差し込まれることでカバー４に着脱可能に装着される。右読取装置２Ｒは、両面テープおよび粘着性を有する樹脂フィルム等によって、カバー４の右前面に貼り付けられる。
【００２０】
読取装置２の前面には紙媒体１００が着脱可能に装着される。紙媒体１００は、左右方向に見開き可能な冊子状である。紙媒体１００では、一対の表紙（表表紙１１０Ｌおよび裏表紙１１０Ｒ）と複数の用紙１１１が、それぞれの縁部の一部で綴じられている。一例として、紙媒体１００はＡ５サイズのノートである。用紙１１１に予め印刷された図柄のレイアウト等を示すフォーマットは、紙媒体１００の種別毎に異なる。本実施形態において、用紙１１１のフォーマットは無地である。用紙１１１は、筆記領域１１１Ａとチェックボックス１１１Ｂとを含む。チェックボックス１１１Ｂは、用紙１１１の右下隅に設けられる。筆記領域１１１Ａは、用紙１１１におけるチェックボックス１１１Ｂを除く領域である。
【００２１】
紙媒体１００は、表表紙１１０Ｌが左読取装置２Ｌの前面に載置され、かつ、裏表紙１１０Ｒが右読取装置２Ｒの前面に載置されるように、読取装置２に装着される。本実施形態では、紙媒体１００は、両面テープおよび粘着性を有する樹脂フィルム等によって、紙媒体１００が読取装置２に位置決めされた状態で装着される。すなわち、左読取装置２Ｌおよび右読取装置２Ｒはそれぞれ、表表紙１１０Ｌおよび裏表紙１１０Ｒと一体的に移動する。ユーザは電子ペン３を用いて紙媒体１００の用紙１１１に線画を筆記できる。線画は、電子ペン３に搭載されたインクが用紙１１１に滲み出ることにより、用紙１１１に筆記される。なお、本実施形態では、読取装置２は電子ペン３によって用紙１１１に線画が筆記された場合に、用紙１１１に滲み出るインクの量であるインク消費量を算出できる。読取装置２によるインク消費量の算出方法は後述する。
【００２２】
電子ペン３は、公知の電磁誘導式の電子ペンであり、筒体３０、芯３７、検出スイッチ３３、ボタン型の電池３４、コイル３５、および基板３６を備える。電子ペン３は、例えばサインペンである。筒体３０は、円柱状の形状を有し、芯３７の一部、検出スイッチ３３、電池３４、コイル３５、および基板３６を内部に収容する。芯３７は、ペン先３１とインク収納部３２とで構成される。ペン先３１は、電子ペン３の後端部から外部に突出する。インク収納部３２は、インクを収納する。本実施形態では、インク収納部３２には、水性のインクが収納される。インク収納部３２に収納されたインクはペン先３１に供給される。このため、ユーザは、電子ペン３を使用して用紙１１１に線画を筆記できる。芯３７は、弾性部材（図示略）により常に後方に付勢されている。
【００２３】
芯３７の前側には、基板３６が設けられる。基板３６は、ＩＣチップ（図示略）を搭載し、かつ、周知の共振（同調）回路を構成する。基板３６に搭載されたＩＣチップは、電子ペン３を特定可能な個別情報を記憶し、読取装置２に送信可能である。基板３６の後端部には、検出スイッチ３３が実装される。基板３６の前側には、電池３４が設けられる。検出スイッチ３３および電池３４は、それぞれ、基板３６を介してコイル３５に電気的に接続される。
【００２４】
コイル３５は、電子ペン３の内部において芯３７の後端部の周囲に巻回される。芯３７は、ユーザが用紙１１１に線画を筆記する場合の押圧力によって、弾性部材の付勢力に抗して電子ペン３の内部にやや退入する。この場合、芯３７の前端部が検出スイッチ３３を押下し、検出スイッチ３３がＯＮ状態になる。
【００２５】
スマートフォン１９は、タッチパネル１９１およびディスプレイ１９２を備える。タッチパネル１９１は、各種指示を入力するために使用される。ディスプレイ１９２は、画像ファイルに対応する画像を表示可能である。なお、スマートフォン１９の代わりに汎用ＰＣやタブレットＰＣが用いられてもよい。
【００２６】
図２を参照して、手書入力システム１の電気的構成を説明する。まず、読取装置２の電気的構成を説明する。読取装置２は、センサ基板７Ｌ，７Ｒ、メイン基板２０、センサ制御基板２８，２９、入力部２５、および３つのＬＥＤ５を備える。センサ基板７Ｌ，７Ｒは、それぞれ、左読取装置２Ｌ、右読取装置２Ｒ内に設けられる。入力部２５および３つのＬＥＤ５は、右読取装置２Ｒに設けられる。
【００２７】
メイン基板２０は、ＣＰＵ２１、ＲＡＭ２２、フラッシュＲＯＭ２３、および無線通信部２４を備える。ＲＡＭ２２、フラッシュＲＯＭ２３、および無線通信部２４は、ＣＰＵ２１に電気的に接続されている。ＣＰＵ２１は、読取装置２の制御を行う。ＲＡＭ２２は、演算データ等の各種データを一時的に記憶する。フラッシュＲＯＭ２３には、ＣＰＵ２１が読取装置２を制御するために実行するプログラム等が記憶される。無線通信部２４は、外部の電子機器と近距離無線通信を実行するためのコントローラである。
【００２８】
入力部２５および３つのＬＥＤ５は、ＣＰＵ２１に電気的に接続されている。入力部２５は、読取装置２に対する指示を入力するためのスイッチである。３つのＬＥＤ５のそれぞれの色は、黄色、緑色、および赤色である。
【００２９】
センサ基板７Ｌ、７Ｒには、上下方向および左右方向のそれぞれに細長いループコイルが多数配列されている。センサ基板７Ｌは、センサ制御基板２８のＡＳＩＣ２８Ａに電気的に接続されている。ＡＳＩＣ２８Ａは、電子ペン３による筆記動作がセンサ基板７Ｌ上で行われた場合に、電子ペン３の位置を示す座標データを検出する。センサ基板７Ｒは、センサ制御基板２９のＡＳＩＣ２９Ａに電気的に接続されている。ＡＳＩＣ２９Ａは、電子ペン３による筆記動作がセンサ基板７Ｒ上で行われた場合に、座標データを検出する。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００３０】
センサ基板７Ｌ，７Ｒ上で電子ペン３による筆記動作が行われた場合に座標データが検出される原理を、概略的に説明する。ＣＰＵ２１はＡＳＩＣ２８Ａ，２９Ａを制御して、センサ基板７Ｌ，７Ｒのそれぞれのループコイルに、一本ずつ特定の周波数の電流（励磁用送信電流）を流す。これにより、センサ基板７Ｌ，７Ｒのそれぞれのループコイルから磁界が発生する。この状態で、例えばユーザが電子ペン３を用いて、読取装置２に装着された紙媒体１００の用紙１１１に線画を筆記する動作を行うと、検出スイッチ３３はＯＮ状態になり、かつ、電子ペン３はセンサ基板７Ｌ，７Ｒに近接する。そのため、電子ペン３の共振回路は電磁誘導によって共振し、誘導磁界を生じる。
【００３１】
ＣＰＵ２１はＡＳＩＣ２８Ａ，２９Ａを制御して、センサ基板７Ｌ，７Ｒのそれぞれのループコイルからの磁界の発生を停止させる。センサ基板７Ｌ，７Ｒのそれぞれのループコイルは、電子ペン３の共振回路から発せられる誘導磁界を受信する。ＣＰＵ２１はＡＳＩＣ２８Ａ，２９Ａを制御して、センサ基板７Ｌ，７Ｒのそれぞれのループコイルに流れる信号電流（受信電流）を検出させる。ＡＳＩＣ２８Ａ，２９Ａがこの動作を全てのループコイルについて一本ずつ実行し、受信電流を検出することによって、電子ペン３の位置を示す座標データが検出される。
【００３２】
ＣＰＵ２１は、用紙１１１に線画が筆記されていると判断した場合（すなわち、検出スイッチ３３がＯＮ状態の間）、ＡＳＩＣ２８Ａ，２９Ａを介して検出された電子ペン３の座標データを一定周期（本実施形態では、１０ｍｓ）で繰り返し取得し、ＲＡＭ２２に記憶する。
【００３３】
次に、スマートフォン１９の電気的構成を説明する。スマートフォン１９は、ＣＰＵ４１、ＲＡＭ４２、フラッシュＲＯＭ４３、無線通信部４４、入力回路４５、出力回路４６、タッチパネル１９１、およびディスプレイ１９２を主に備える。ＣＰＵ４１は、スマートフォン１９の制御を行う。ＣＰＵ４１は、ＲＡＭ４２、フラッシュＲＯＭ４３、無線通信部４４、入力回路４５、および出力回路４６と電気的に接続している。
【００３４】
ＲＡＭ４２は、種々の一時データを記憶する。無線通信部４４は、外部の電子機器と近距離無線通信を実行するためのコントローラである。入力回路４５は、ＣＰＵ４１へタッチパネル１９１からの指示を送る制御を行う。出力回路４６は、ＣＰＵ４１からの指示に応じてディスプレイ１９２に画像を表示する制御を行う。
【００３５】
フラッシュＲＯＭ４３には、ＣＰＵ４１が実行するプログラムが記憶される。スマートフォン１９は、図示外の媒体読取装置（例えば、メモリカードスロット）を備える。スマートフォン１９は、記憶媒体（例えば、メモリカード）に記憶されているプログラムを、媒体読取装置で読み取ってフラッシュＲＯＭ４３にインストールできる。また、スマートフォン１９に接続されている外部機器（図示略）またはネットワークからプログラムを受信して、フラッシュＲＯＭ４３にインストールしてもよい。
【００３６】
図３および図４を参照して、読取装置２が用紙１１１に筆記された線画に基づいてストロークデータファイルを生成する処理、およびスマートフォン１９が読取装置２からストロークデータファイルを取得した場合の処理の概要を、具体例を挙げて説明する。図３に示すように、ユーザは電子ペン３を用いて、「１２３」を示す線画２００を筆記領域１１１Ａに筆記する。ＣＰＵ２１は、電子ペン３によって用紙１１１に線画２００が筆記されている間、電子ペン３の座標データを一定周期で繰り返し取得する。
【００３７】
ＣＰＵ２１は、一定周期で連続して取得された電子ペン３の座標データに基づき、用紙１１１における筆記領域１１１Ａおよびチェックボックス１１１Ｂのいずれに線画が筆記されたか判断できる。ＣＰＵ２１は、筆記領域１１１Ａに線画が筆記されたとは判断した場合、一定周期で連続して取得された座標データに基づき、電子ペン３によって筆記された一本分の線画を示すストロークデータを生成してＲＡＭ２２に記憶する。一本分の線画は、検出スイッチ３３がＯＮ状態になってからＯＦＦ状態になるまでに筆記された線画である。
【００３８】
ＣＰＵ２１は、取得された座標データに基づき、チェックボックス１１１Ｂに線画が筆記されたと判断した場合、用紙１１１に筆記した線画を保存するための保存指示を検出する。ＣＰＵ２１は、保存指示を検出した場合、ＲＡＭ２２に記憶された複数のストロークデータに基づき、ストロークデータファイルを生成する。ストロークデータファイルは、筆記領域１１１Ａに筆記された線画２００を示すストロークデータを少なくとも含む。ストロークデータは、例えば線画２００が筆記された日の日付等を含んでもよい。ＣＰＵ２１は、生成されたストロークデータファイルをフラッシュＲＯＭ２３に記憶する。
【００３９】
ＣＰＵ４１は、ストロークデータファイルを読取装置２から取得するためのデータ要求コマンドの操作がタッチパネル１９１を介して行われた場合、無線通信部４４を介して読取装置２との間で近距離無線通信を実行する。ＣＰＵ２１は、スマートフォン１９からのデータ要求コマンドを受信した場合、フラッシュＲＯＭ２３に記憶されたストロークデータファイルをスマートフォン１９に送信する。フラッシュＲＯＭ２３に記憶されているストロークデータファイルは、読取装置２からスマートフォン１９に無線送信される。ＣＰＵ４１は、読取装置２から無線送信されたストロークデータファイルを受信し、ＲＡＭ４２に記憶する。
【００４０】
ＣＰＵ４１は、ＲＡＭ４２に記憶したストロークデータファイルに基づき、電子ペン３によって用紙１１１に筆記された線画２００と同一形状の線画を含む画像ファイルを生成する。詳細には、ＣＰＵ４１は、受信したストロークデータファイルに含まれる複数のストロークデータをグループ単位で抽出する。ＣＰＵ４１は、抽出した複数のストロークデータのそれぞれによって示される複数の位置の間を、筆記された順番に直線で結ぶ。ＣＰＵ４１は、グループ毎に１本分ずつ得られる線分を結合し、筆記された線画２００を特定する。ＣＰＵ４１は、特定した線画２００を少なくとも含む画像の画像ファイルを生成する。画像ファイルは、線画をデシタル画像によって示すデータファイルである。デジタル画像の例として、ベクター画像やラスター画像が挙げられる。画像ファイルとしてＪＰＥＧファイル、ＧＩＦファイル、ＰＮＧファイル、ＢＭＰファイルが挙げられる。
【００４１】
図４に示すように、ＣＰＵ４１は、生成された画像ファイルに基づき、画像３００をディスプレイ１９２に表示できる。画像３００は、日付を示す「２０１３／３／３１」と、線画２００を示す「１２３」とを含む。なお、読取装置２からスマートフォン１９に対してストロークデータファイルが送信される場合の通信は、無線通信に限定されず有線通信であってもよい。
【００４２】
図５を参照して、ＣＰＵ２１によるインク消費量の算出方法を、具体例を挙げて説明する。先述したように、線画は、インク収納部３２からペン先３１に供給されたインクが、ペン先３１から用紙１１１に滲み出ることにより、用紙１１１に筆記される。以下、電子ペン３によって用紙１１１に点Ａ０から点Ａ３まで線画が筆記された場合について説明する。なお、図５では、点Ａ０、点Ａ１、点Ａ２、および点Ａ３は、電子ペン３によって点Ａ０から点Ａ３まで線画が筆記された場合に、ＣＰＵ２１によって座標データが取得された位置を示す。ＣＰＵ２１は、点Ａ０、点Ａ１、点Ａ２、点Ａ３の順番で座標データを取得する。
【００４３】
また、ＣＰＵ２１は座標データを一定周期で取得するため、点Ａ０が取得されてから点Ａ１が取得されるまでの時間、点Ａ１が取得されてから点Ａ２が取得されるまでの時間、および点Ａ２が取得されてから点Ａ３が取得されるまでの時間はいずれも所定時間（すなわち、本実施形態では、１０ｍｓ）である。以下、ＣＰＵ２１によって取得された電子ペン３の位置を第一位置といい、第一位置が取得されてから所定時間の経過後にＣＰＵ２１によって取得された電子ペン３の位置を第二位置という。例えば、点Ａ０が第一位置の場合は点Ａ１が第二位置であり、点Ａ１が第一位置の場合は点Ａ２が第二位置である。
【００４４】
また、第一位置から第二位置まで電子ペン３によって線画が筆記された距離を、筆記距離Ｘという。図５では、点Ａ０から点Ａ１までの筆記距離Ｘ、点Ａ１から点Ａ２までの筆記距離Ｘ、および点Ａ２から点Ａ３までの筆記距離Ｘは、それぞれ、距離Ｘ１、距離Ｘ２、および距離Ｘ３である。
【００４５】
点Ｐ０および点Ｐ１は、後述する基準消費量Ｍ０を説明するために用いる。点Ｐ０から点Ｐ１までは、電子ペン３によって所定時間で筆記される。点Ｐ０から点Ｐ１までの距離は、所定距離Ｘ０である。
【００４６】
本実施形態では、電子ペン３によって所定時間で所定距離Ｘ０の線画が筆記されたときのインク消費量として予め定められた基準消費量Ｍ０がフラッシュＲＯＭ２３に記憶されている。ＣＰＵ２１は、基準消費量Ｍ０と所定時間における筆記距離Ｘとに基づき、特定消費量Ｍを算出する。特定消費量Ｍは、第一位置から第二位置まで所定時間の間に電子ペン３によって線画が筆記されたときのインク消費量である。詳細には、所定時間に電子ペン３によって筆記距離Ｘだけ線画が筆記された場合の特定消費量Ｍは、本実施形態における水性インクの場合、例えば以下に示す式（１）に基づいて算出される。
Ｍ＝Ｍ０×Ｘ０／Ｘ・・・（１）
【００４７】
ゆえに、例えば点Ａ０から点Ａ１までの特定消費量Ｍ、点Ａ１から点Ａ２までの特定消費量Ｍ、および点Ａ２から点Ａ３までの特定消費量Ｍは、それぞれ、Ｍ０×Ｘ０／Ｘ１、Ｍ０×Ｘ０／Ｘ２、およびＭ０×Ｘ０／Ｘ３となる。
【００４８】
したがって、例えば、Ａ０からＡ２までのインク消費量は（Ｍ０×Ｘ０／Ｘ１）＋（Ｍ０×Ｘ０／Ｘ２）である。図５に示すように、Ａ０からＡ２までの距離がＰ０からＰ１までの距離と等しい場合（すなわち、Ｘ１＋Ｘ２＝Ｘ０）であっても、インク消費量は異なる場合がある（すなわち、（Ｍ０×Ｘ０／Ｘ１）＋（Ｍ０×Ｘ０／Ｘ２）≠Ｍ０）。
【００４９】
本実施形態では、読取装置２は、複数の電子ペン３がある場合に、現在使用している電子ペン３を特定できる。詳細には、読取装置２は、基板３６に搭載されたＩＣチップを読み取ることで電子ペン３を特定する。これにより、読取装置２は、特定された電子ペン３に対応させてインク消費量を算出し、電子ペン３のインク残量を推定できる。
【００５０】
また、本実施形態では、インク収納部３２に予め収納されているインクの量である初期インク量が予めフラッシュＲＯＭ２３に記憶されている。ＣＰＵ２１は、電子ペン３のインクが交換された場合等に、フラッシュＲＯＭ２３に記憶されたインク残量を初期化できる。インク残量が初期化された場合、インク残量として初期インク量がフラッシュＲＯＭ２３に記憶される。ＣＰＵ２１は、初期インク量から特定消費量Ｍを減算していくことにより、電子ペン３に現在搭載されているインクの量であるインク残量を推定できる。
【００５１】
フラッシュＲＯＭ２３に記憶されたインク残量を初期化する方法を説明する。ユーザは、インク収納部３２を新たなインク収納部３２に交換することにより、電子ペン３のインクを交換可能である。ユーザは、例えば電子ペン３のインクを交換した場合、または電子ペン３を新たな電子ペン３に交換した場合、フラッシュＲＯＭ２３に記憶された電子ペン３のインク残量を初期インク残量に初期化する。この場合、ユーザは、基板３６に搭載されたＩＣチップを読取装置２に読み取らせることにより、読取装置２に電子ペン３を特定させる。次いで、ユーザは、入力部２５を操作してインク残量を初期化させる。
【００５２】
図６を参照し、ＣＰＵ２１によって実行されるメイン処理を説明する。ＣＰＵ２１は、電源がＯＮされた場合に、フラッシュＲＯＭ２３に記憶されたプログラムに基づいて動作することで、メイン処理を開始する。
【００５３】
ＣＰＵ２１は、用紙１１１に電子ペン３によって線画が筆記されている状態であるか判断する（Ｓ１１）。用紙１１１に電子ペン３によって線画が筆記されている場合、検出スイッチ３３がＯＮ状態になるため、ＣＰＵ２１は用紙１１１に電子ペン３によって線画が筆記されている状態であることを検出できる。ＣＰＵ２１は、用紙１１１に電子ペン３によって線画が筆記されている状態であると判断した場合（Ｓ１１：ＹＥＳ）、基板３６に搭載されたＩＣチップに記憶されている個別情報を取得し、ＲＡＭ２２に記憶する（Ｓ１２）。個別情報は、少なくとも電子ペン３を特定可能な情報を含む。また、ＣＰＵ２１は、個別情報に基づき、フラッシュＲＯＭ２３に記憶されている電子ペン３のインク残量をＲＡＭ２２に記憶する。
【００５４】
ＣＰＵ２１は、電子ペン３の座標データを取得し、ＲＡＭ２２に記憶する（Ｓ１３）。なお、Ｓ１３の処理は、電子ペン３による用紙１１１への線画の筆記が開始されてから終了されるまで（すなわち、検出スイッチ３３がＯＮ状態の間）、一定周期で実行される。ＣＰＵ２１は、第一位置から第二位置までの筆記距離Ｘを算出する（Ｓ１４）。詳細には、ＣＰＵ２１は、Ｓ１３の処理で取得された第一位置の座標データと、第一位置の座標データが取得されてから所定時間経過（一定周期）後にＳ１３の処理で取得された第二位置の座標データとに基づき、筆記距離Ｘを算出する。
【００５５】
ＣＰＵ２１は、所定時間における筆記距離Ｘと基準消費量Ｍ０とに基づき、式（１）により特定消費量Ｍを算出する（Ｓ１５）。ＣＰＵ２１は、Ｓ１５の処理で算出された特定消費量Ｍに基づき、Ｓ１２の処理でＲＡＭ２２に記憶された電子ペン３のインク残量を更新する（Ｓ１６）。詳細には、ＣＰＵ２１は、ＲＡＭ２２に記憶されている電子ペン３のインク残量から特定消費量Ｍを減算してＲＡＭ２２に記憶する。
【００５６】
ＣＰＵ２１は、電子ペン３による用紙１１１への線画の筆記が終了されたか判断する（Ｓ１７）。電子ペン３による用紙１１１への線画の筆記が終了している場合、検出スイッチ３３はＯＦＦ状態になるため、ＣＰＵ２１は電子ペン３による用紙１１１への線画の筆記が終了されたことを検出できる。ＣＰＵ２１は、電子ペン３による用紙１１１への線画の筆記が終了されていないと判断した場合（Ｓ１７：ＮＯ）、まだ電子ペン３はＯＮ状態であるため、Ｓ１３の処理が実行されてから所定時間経過後に処理をＳ１３の処理に戻す。これにより、ＣＰＵ２１は、電子ペン３によって用紙１１１に線画が筆記されている間、座標データを一定周期で繰り返し取得できる。
【００５７】
ＣＰＵ２１は、電子ペン３による用紙１１１への線画の筆記が終了されたと判断した場合（Ｓ１７：ＹＥＳ）、ＲＡＭ２２に記憶されている電子ペン３のインク残量に基づき、所定条件を満たしているか判断する（Ｓ２１）。所定条件は、電子ペン３のインク残量が、予め定められた値である警告基準量以下であることである。
【００５８】
ＣＰＵ２１は、ＲＡＭ２２に記憶されている電子ペン３のインク残量が警告基準量以下でないと判断した場合（Ｓ２１：ＮＯ）、電子ペン３のインク残量をフラッシュＲＯＭ２３に記憶し、ＲＡＭ２２に記憶された電子ペン３のインク残量をクリアして処理をＳ３１の処理に移行する。
【００５９】
ＣＰＵ２１は、ＲＡＭ２２に記憶されている電子ペン３のインク残量が警告基準量以下であると判断した場合（Ｓ２１：ＹＥＳ）、電子ペン３のインク残量に関する報知を行う（Ｓ２２）。詳細には、ＣＰＵ２１は、インク残量低下を示す予め定められた態様でＬＥＤ５を発光させる。また、ＣＰＵ２１は、無線通信部２４を介してスマートフォン１９に電子ペン３のインク残量に関する報知を実行させる指示を送信する。指示は、例えば図７に示すように、所定画像３０１をディスプレイ１９２に表示させる指示である。所定画像３０１は、「ペンのインク残量の低下を検知しました。インクを交換してください。」を含む。なお、ＣＰＵ２１は、Ｓ２２の処理において、電子ペン３のインク残量をフラッシュＲＯＭ２３に記憶し、ＲＡＭ２２に記憶されたインク残量をクリアする。
【００６０】
ＣＰＵ２１は、保存指示を検出したか判断する（Ｓ３１）。詳細には、ＣＰＵ２１、チェックボックス１１１Ｂに線画が筆記された場合、Ｓ１３の処理で取得された座標データに基づき、保存指示を検出する。
【００６１】
ＣＰＵ２１は、保存指示を検出していないと判断した場合（Ｓ３１：ＮＯ）、筆記領域１１１Ａに対して線画が筆記されたと判断する。ＣＰＵ２１は、Ｓ１３の処理で取得された座標データに基づき、ストロークデータを生成してＲＡＭ２２に記憶する（Ｓ３２）。ＣＰＵ２１は処理をＳ１１の処理に戻す。ＣＰＵ２１は、保存指示を検出したと判断した場合（Ｓ３１：ＹＥＳ）、Ｓ３２の処理でＲＡＭ２２に記憶された複数のストロークデータを含むストロークデータファイルを生成してフラッシュＲＯＭ２３に記憶する（Ｓ３３）。ＣＰＵ２１は、ＲＡＭ２２に記憶されたストロークデータをクリアし、処理をＳ１１の処理に戻す。
【００６２】
ＣＰＵ２１は、用紙１１１に電子ペン３によって線画が筆記されている状態でないと判断した場合（Ｓ１１：ＮＯ）、無線通信部２４を介してスマートフォン１９からデータ要求コマンドを受信したか判断する（Ｓ４１）。
【００６３】
ＣＰＵ２１は、無線通信部２４を介してスマートフォン１９からデータ要求コマンドを受信していないと判断した場合（Ｓ４１：ＮＯ）、処理をＳ１１の処理に戻す。ＣＰＵ２１は、無線通信部２４を介してスマートフォン１９からデータ要求コマンドを受信したと判断した場合（Ｓ４１：ＹＥＳ）、無線通信部２４を介してスマートフォン１９にＳ３３の処理でフラッシュＲＯＭ２３に記憶されたストロークデータファイルを送信する（Ｓ４２）。ＣＰＵ２１は、フラッシュＲＯＭ２３に記憶されたストロークデータファイルをクリアし、処理をＳ１１の処理に戻す。
【００６４】
以上説明したように、本実施形態によれば、ＣＰＵ２１は、第一位置の座標データを取得する（Ｓ１３）。ＣＰＵ２１は、Ｓ１３の処理で第一位置の座標データを取得してから所定時間の経過後に第二位置の座標データを取得する（Ｓ１３）。ＣＰＵ２１は、Ｓ１３の処理で取得された第一位置および第二位置の座標データに基づき、第一位置から第二位置までの筆記距離Ｘを算出する（Ｓ１４）。ＣＰＵ２１は、所定時間における筆記距離Ｘと基準消費量Ｍ０とに基づき、式（１）により第一位置から第二位置まで線画を筆記した電子ペン３の特定消費量Ｍを算出する（Ｓ１５）。基準消費量Ｍ０は、電子ペン３によって所定時間で所定距離Ｘ０の線画が筆記されたときのインク消費量として予め定められた基準量である。ゆえに、読取装置２は、インク消費量を精度よく推定できる。
【００６５】
ＣＰＵ２１は、基板３６に搭載されたＩＣチップに記憶されている個別情報を取得し（Ｓ１２）、フラッシュＲＯＭ２３に記憶されているインク残量のうち、電子ペン３のインク残量をＲＡＭ２２に記憶する。ＣＰＵ２１は、式（１）に基づき、特定消費量Ｍを算出する（Ｓ１５）。ＣＰＵ２１は、Ｓ１５の処理で算出された特定消費量Ｍに基づき、Ｓ１２の処理でＲＡＭ２２に記憶された電子ペン３のインク残量を更新する（Ｓ１６）。これにより、読取装置２は、電子ペン３の個別情報に対応させてインク消費量を算出し、インク残量を更新できる。ゆえに、読取装置２は、電子ペン３が複数種類あった場合でも、それぞれに応じてインク消費量を推定できる。
【００６６】
ＣＰＵ２１は、電子ペン３のインク残量に関する報知を行う（Ｓ２２）。したがって、読取装置２は、電子ペン３のインク残量をユーザに報知できる。これにより、ユーザは、電子ペン３のインク残量を把握できる。
【００６７】
ＣＰＵ２１は、ＲＡＭ２２に記憶されている電子ペン３のインク残量が警告基準量以下であると判断した場合（Ｓ２１：ＹＥＳ）、電子ペン３のインク残量に関する報知を行う（Ｓ２２）。したがって、読取装置２は、電子ペン３のインク残量に基づき、所定条件を満たしていることをユーザに報知できる。これにより、ユーザは、電子ペン３のインク残量が例えば残りわずかであることを把握できる。よって、読取装置２は、ユーザが電子ペン３で線画を筆記している途中にインクが切れてしまうことを抑制できる。
【００６８】
読取装置２は、発光可能なＬＥＤ５を備える。ＣＰＵ２１は、インク残量低下を示す予め定められた態様でＬＥＤ５を発光させることにより、電子ペン３のインク残量に関する報知を行う（Ｓ２２）。したがって、読取装置２は、ＬＥＤ５を発光させることにより、電子ペン３のインク残量をユーザに報知できる。ユーザは、インク残量低下を示す予め定められた態様でＬＥＤ５が発光することを視認することにより、電子ペン３のインク残量低下を把握できる。
【００６９】
読取装置２は、外部の電子機器と通信可能な無線通信部２４を備える。ＣＰＵ２１は、無線通信部２４を介してスマートフォン１９に電子ペン３のインク残量に関する報知を実行させる指示を送信する（Ｓ２２）。したがって、読取装置２は、スマートフォン１９にて電子ペン３のインク残量をユーザに報知できる。ユーザは、外部の電子機器であるスマートフォン１９側で、電子ペン３のインク残量を把握できる。
【００７０】
ＣＰＵ２１は、所定画像３０１をディスプレイ１９２に表示させる指示を、無線通信部２４を介してスマートフォン１９に送信する（Ｓ２２）。したがって、読取装置２は、所定画像３０１をディスプレイ１９２に表示させることにより、電子ペン３のインク残量をユーザに報知できる。ユーザは、ディスプレイ１９２に表示された所定画像３０１を視認することにより、電子ペン３のインク残量を把握できる。
【００７１】
上記実施形態において、読取装置２が本発明の「情報入力装置」に相当する。電子ペン３が本発明の「筆記具」に相当する。紙媒体１００が本発明の「記録媒体」に相当する。センサ基板７Ｌ，７Ｒおよびセンサ制御基板２８，２９が本発明の「検出手段」に相当する。図６のＳ１３の処理を実行するＣＰＵ２１が本発明の「第一取得手段」に相当する。図６のＳ１４の処理を実行するＣＰＵ２１が本発明の「第一算出手段」に相当する。特定消費量Ｍが本発明の「インク消費量」に相当する。図６のＳ１５の処理を実行するＣＰＵ２１が本発明の「第二算出手段」に相当する。図６のＳ１２の処理を実行するＣＰＵ２１が本発明の「第二取得手段」に相当する。図６のＳ２２の処理を実行するＣＰＵ２１が本発明の「報知手段」に相当する。図６のＳ２１の処理を実行するＣＰＵ２１が本発明の「判断手段」に相当する。ＬＥＤ５が本発明の「発光部」に相当する。無線通信部２４が本発明の「通信手段」に相当する。ストロークデータファイルが本発明の「線画データ」に相当する。図６のＳ３３の処理を実行するＣＰＵ２１が本発明の「生成手段」に相当する。図６のＳ４２の処理を実行するＣＰＵ２１が本発明の「送信手段」に相当する。
【００７２】
図６のＳ１３の処理が本発明の「第一取得ステップ」に相当する。図６のＳ１４の処理が本発明の「第一算出ステップ」に相当する。図６のＳ１５の処理が本発明の「第二算出ステップ」に相当する。
【００７３】
なお、本発明は上記実施形態に限定されず、種々の変更が可能である。上記実施形態における電子ペン３の位置の検出方法は、他の方法に変更できる。例えば読取装置２は、上面にタッチパネルを備えていてもよい。この場合、電子ペン３によって筆記された位置は、タッチパネルが押下された位置に相当する。したがって、読取装置２のＣＰＵ２１は、タッチパネルが押下された位置を示す座標データを、タッチパネルから取得できる。
【００７４】
読取装置２のＣＰＵ２１は、用紙１１１のチェックボックス１１１Ｂに線画が筆記されたと判断した場合に、チェックボックス１１１Ｂに線画が筆記されたタイミングで、生成されたストロークデータファイルをスマートフォン１９に送信してもよい。
【００７５】
読取装置２は、電子ペン３の個別情報を基板３６に搭載されたＩＣチップから取得しなくてもよい。この場合、読取装置２は、例えば入力部２５を介してユーザによって入力されることにより、電子ペン３の個別情報を取得し、電子ペン３を特定してもよい。読取装置２は、個別情報として電子ペン３が発信する電磁誘導の周波数に基づき、電子ペン３を特定してもよい。
【００７６】
また、電子ペン３は、ＱＲコード（登録商標）を備えてもよい。読取装置２は、ＱＲコード（登録商標）を読取可能なコード読取手段を備えてもよい。この場合、読取装置２のコード読取手段で電子ペン３のＱＲコード（登録商標）を読み取ることによって個別情報を取得してもよい。また、読取装置２は、読み取ったＱＲコード（登録商標）がまだ読み取ったことのないＱＲコード（登録商標）であった場合、インク残量を初期化してもよい。なお、読取装置２が電子ペン３の個別情報を取得する方法は上記方法に限定されない。
【００７７】
特定消費量Ｍを算出する式は、式（１）に限定されない。また、特定消費量Ｍを算出する式と、電子ペン３に搭載されたインクの種類とを対応付けてフラッシュＲＯＭ２３に複数記憶されてもよい。特定消費量Ｍを算出する式は、電子ペン３に搭載されたインクの種類によって異なる。この場合、例えば、個別情報は電子ペン３に搭載されたインクの種類に関する情報を含んでもよい。ＣＰＵ２１は、Ｓ１２の処理において、取得された個別情報に基づき、電子ペン３に搭載されたインクの種類に対応する式をフラッシュＲＯＭ２３から読み出し、ＲＡＭ２２に記憶する。この場合、ＣＰＵ２１は、Ｓ１５の処理において、フラッシュＲＯＭ２３から読み出した式に基づき、特定消費量Ｍを算出できる。これにより、読取装置２は、電子ペン３に搭載されたインクの種類に基づき、インク消費量を推定できる。
【００７８】
さらに、読取装置２は、電子ペン３に搭載されたインクの種類に対応する基準消費量Ｍ０をフラッシュＲＯＭ２３に複数記憶きてもよい。基準消費量Ｍ０は、電子ペン３に搭載されたインクの種類によって異なる。この場合、ＣＰＵ２１は、Ｓ１２の処理において、取得された個別情報に基づき、電子ペン３に搭載されたインクの種類に対応する基準消費量Ｍ０をフラッシュＲＯＭ２３から読み出し、ＲＡＭ２２に記憶する。ＣＰＵ２１は、Ｓ１５の処理において、フラッシュＲＯＭ２３から読み出した基準消費量Ｍ０に基づき、特定消費量Ｍを算出できる。これにより、読取装置２は、電子ペン３に搭載されたインクの種類に基づき、インク消費量を推定できる。
【００７９】
読取装置２は、電子ペン３のインク残量をフラッシュＲＯＭ２３に記憶しなくてもよい。この場合、電子ペン３のインク残量は、例えば電子ペン３の基板３６に搭載されたＩＣチップに記憶されてもよい。この場合、ＣＰＵ２１は、Ｓ１２の処理において、電子ペン３のインク残量に関する情報を含む個別情報を取得し、ＲＡＭ２２に記憶する。ＣＰＵ２１は、Ｓ１６の処理において、更新された電子ペン３のインク残量をＲＡＭ２２に記憶すると共に、電子ペン３に送信する。電子ペン３は、受信した電子ペン３のインク残量を基板３６に搭載されたＩＣチップに記憶する。また、電子ペン３は、ＩＣチップの代わりに電子ペン３のインク残量を記憶する記憶手段を他に備えてもよい。読取装置２と電子ペン３との通信方法は、例えば近距離無線通信である。
【００８０】
ＣＰＵ２１は、Ｓ３３の処理において、複数のストロークデータの他に、画像３００としてディスプレイ１９２において表示される第一色の情報を含むストロークデータファイルを生成してもよい。ＣＰＵ２１は、Ｓ２２の処理において、第一色に代えて第一色とは異なる第二色の画像３００をディスプレイ１９２に表示させる指示を、無線通信部２４を介してスマートフォン１９に送信し、電子ペン３のインク残量に関する報知を行ってもよい。この場合、ＣＰＵ４１は、第一色の画像３００（図４参照）に代えて、第二色の画像３００（図８参照）をディスプレイ１９２に表示する。第一色は、例えば黒色であり、第二色は、例えば赤色である。また、第一色および第二色は、これに限定されない。例えば、第一色は、電子ペン３に搭載されたインクと同じ色であり、第二色は、電子ペン３に搭載されたインクとは異なる色であってもよい。
【００８１】
以上の場合、読取装置２は、画像３００がディスプレイ１９２に表示される色を第一色から第二色に代えて表示されることで、電子ペン３のインク残量をユーザに報知できる。なお、この場合、線画に対応する部分の色を第一色から第二色に代えてもよいし、線画に対応していない部分の色を第一色から第二色に代えてもよい。また、画像３００の一部分の色を第一色から第二色に代えてもよい。
【００８２】
読取装置２は、音を発生可能なスピーカを備えてもよい。ＣＰＵ２１は、Ｓ２２の処理において、読取装置２のスピーカによって音を発生させることにより、電子ペン３のインク残量に関する報知を行ってもよい。また、読取装置２は、電子ペン３のインク残量を示す表示部を備えてもよい。ＣＰＵ２１は、Ｓ２２の処理において、読取装置２の表示部にインク残量を表示させることにより、電子ペン３のインク残量に関する報知を行ってもよい。スマートフォン１９は、警告音を発生可能なスピーカを備えてもよい。ＣＰＵ２１は、Ｓ２２の処理において、スマートフォン１９のスピーカによって警告音を発生させる指示を、無線通信部２４を介してスマートフォン１９に送信し、電子ペン３のインク残量に関する報知を行ってもよい。この場合、ＣＰＵ４１は、スマートフォン１９のスピーカに警告音を発生させる。
【００８３】
電子ペン３は、光を発光する発光部を備えてもよい。ＣＰＵ２１は、Ｓ２２の処理において、電子ペン３の発光部を発光させる指示を電子ペン３に送信し、電子ペン３のインク残量に関する報知を行ってもよい。この場合、電子ペン３は、電子ペン３の発光部を発光させる。電子ペン３は、警告音を発生するスピーカを備えてもよい。ＣＰＵ２１は、Ｓ２２の処理において、電子ペン３のスピーカによって警告音を発生させる指示を電子ペン３に送信し、電子ペン３のインク残量に関する報知を行ってもよい。この場合、電子ペン３は、電子ペン３のスピーカによって警告音を発生させる。
【００８４】
なお、本実施形態において、電子ペン３のインク残量に関する報知を行う方法は上記方法に限定されない。また、電子ペン３のインク残量に関する報知を行う方法は、１つでもよいし、複数の方法を用いてもよい。
【００８５】
上記実施形態において、所定条件は、インク残量が警告基準量以下であることであるが、これに限定されない。所定条件は、例えば、インク残量が警告基準量であることであってもよい。この場合、インク残量が警告基準量になった場合に、一度だけ報知される。
【００８６】
また、ＣＰＵ２１は、Ｓ１６の処理において、初期インク量から特定消費量Ｍを減算しながらインク残量を推定するが、インク残量を推定しなくてもよい。例えば、ＣＰＵ２１は、Ｓ１６の処理において、Ｓ１５の処理で算出された特定消費量Ｍをインク消費量として０から加算していってもよい。この場合、ＣＰＵ２１は、電子ペン３のインクが交換された場合等に、フラッシュＲＯＭ２３に加算されて記憶されたインク消費量を０に初期化してもよい。この場合、所定条件は、例えば、インク消費量として特定消費量Ｍが０から加算されていくことによりＲＡＭ２２に記憶されたインク消費量が、予め定められた警告基準量以上であることであってもよい。
【００８７】
電子ペン３は、サインペンに限定されず、ボールペン等でもよい。インク収納部３２に収納されるインクは、水性のインクに限定されず、油性のインク等でもよい。
【符号の説明】
【００８８】
１          手書入力システム
２          読取装置
３          電子ペン
７Ｌ，７Ｒ  センサ基板
１９        スマートフォン
２１        ＣＰＵ
２２        ＲＡＭ
２３        フラッシュＲＯＭ
２４        無線通信部
２８，２９  センサ制御基板
１００      紙媒体
３０１      所定画像
Ｍ          特定消費量
Ｍ０        基準消費量
Ｘ          筆記距離
Ｘ０        所定距離
【図１】
2016207067.tif 000003
【図２】
2016207067.tif 000004
【図３】
2016207067.tif 000005
【図４】
2016207067.tif 000006
【図５】
2016207067.tif 000007
【図６】
2016207067.tif 000008
【図７】
2016207067.tif 000009
【図８】
2016207067.tif 000010